(57)【要約】【課題】スループットの向上を図る基地局装置、データ送信方法、及びデータ送信プログラムを提供すること。【解決手段】複数の周波数帯域を同時に用いて第１の端末装置と無線通信を行う基地局装置において、無線リソースが割り当てられなかった第２の端末装置の中から、データの送信対象となる端末装置を次点送信対象端末として選択する次点送信対象端末選択処理部と、前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する次点送信対象端末情報取得処理部とを備える。【選択図】図８
2019029686.tif 000002
【特許請求の範囲】
【請求項１】
複数の周波数帯域を同時に用いて第１の端末装置と無線通信を行う基地局装置において、
無線リソースが割り当てられなかった第２の端末装置の中から、データの送信対象となる端末装置を次点送信対象端末として選択する次点送信対象端末選択処理部と、
前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する次点送信対象端末情報取得処理部と
を備えることを特徴とする基地局装置。
【請求項２】
更に、前記第１の端末装置に対して第１の無線リソースを割り当てる第１のリソース割り当て処理部と、前記第１の端末装置に対して第２の無線リソースを割り当てる第２のリソース割り当て処理部とを備え、
前記次点送信対象端末情報取得処理部は、前記第２の無線リソースが利用されることなく、前記第１の無線リソースを利用して、前記第１の端末装置宛の送信データを送信したとき、前記第２の無線リソースが前記余剰リソースとなることを特徴とする請求項１記載の基地局装置。
【請求項３】
前記次点送信対象端末選択処理部は、前記第２の端末装置と前記基地局装置との間の無線品質と、前記第２の端末装置宛の送信データの送信データ量とに基づいて、前記次点送信対象端末を選択することを特徴とする請求項１記載の基地局装置。
【請求項４】
前記次点送信対象端末選択処理部は、前記第２の端末装置に割り当てられた無線リソースの合計が、前記第１の端末装置に割り当てられた無線リソースの合計を超えるまで、前記次点送信対象端末を選択することを特徴とする請求項３記載の基地局装置。
【請求項５】
前記次点送信対象端末選択処理部は、前記第１の端末装置と同数の前記次点送信対象端末を選択することを特徴とする請求項３記載の基地局装置。
【請求項６】
次点送信対象端末選択処理部と次点送信対象端末情報取得処理部とを有し、複数の周波数帯域を同時に用いて第１の端末装置と無線通信を行う基地局装置におけるデータ送信方法であって、
前記次点送信対象端末選択処理部により、無線リソースが割り当てられなかった第２の端末装置の中から、データの送信対象となる端末装置を次点送信対象端末として選択し、
次点送信対象端末情報取得処理部により、前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する
ことを特徴とするデータ送信方法。
【請求項７】
複数の周波数帯域を同時に用いて第１の端末装置と無線通信を行う基地局装置のコンピュータに実行させるデータ送信プログラムであって、
無線リソースが割り当てられなかった第２の端末装置の中から、データの送信対象となる端末装置を次点送信対象端末として選択し、
前記無線リソースに余剰があるとき、余剰リソースで送信可能なデータ量を有する前記端末装置を、前記次点送信対象端末から選択し、選択した前記端末装置に対するデータを、前記余剰リソースを利用して前記端末装置へ送信する
処理をコンピュータに実行させるデータ送信プログラム。
【発明の詳細な説明】
【技術分野】
【０００１】
本発明は、基地局装置、データ送信方法、及びデータ送信プログラムに関する。
【背景技術】
【０００２】
現在、標準化団体である３ＧＰＰ（3rd Generation Partnership Project）では、大容量で高速の無線通信システムの技術として、ＬＴＥ（Long Term Evolution）及びＬＴＥ−Ａｄｖａｎｃｅｄの後継システムが検討されている。このようなシステムは第５世代移動通信（5G:the 5th Generation mobile communication）と呼ばれている。
【０００３】
無線通信システムにおいては、キャリアアグリゲーション（Carrier Aggregation。以下、「ＣＡ」と称する場合がある。）と呼ばれる技術が利用される場合がある。ＣＡは、例えば、複数の周波数帯域を同時に用いて無線通信を行う技術である。ＣＡでは、例えば、基地局装置が複数の周波数帯域を同時に用いているため、１つの周波数帯域を用いる場合と比較して、周波数帯域が増加し、スループットの向上を図ることができる。
【０００４】
ＣＡの種類としては、Ｉｎｔｒａ−ｅＮＢ  ＣＡとＩｎｔｅｒ−ｅＮＢ  ＣＡがある。Ｉｎｔｒａ−ｅＮＢ  ＣＡは、例えば、１つの基地局装置が複数の周波数帯域を同時に用いて送信した異なるデータを１つの端末装置で受信する技術である。これに対して、Ｉｎｔｅｒ−ｅＮＢ  ＣＡは、例えば、複数の基地局装置が複数の周波数帯域をそれぞれ同時に用いて送信した異なるデータを１つの端末装置で受信できるようにした技術である。
【０００５】
このような無線通信に関する技術として、例えば、以下がある。すなわち、端末とセルラ通信を行うセルラ部と、端末とデバイス間通信方式を用いて通信を行うＤ２Ｄ部とを備え、下り無線リソースが逼迫し、かつ、上りリンクの無線リソースに余剰がある場合、Ｄ２Ｄ部が上りリンクの無線リソースを用いて端末と通信を行う基地局がある。
【０００６】
この技術によれば、余剰ある上りリンクリソースを効率的に利用することで、システムが収容可能な無線トラヒックの量を向上できる、とされる。
【０００７】
また、第１の基地局は、第２の基地局での第１のネットワークベアラの通信に関するベアラ分割状況情報を第２の基地局から受信し、第１のネットワークベアラに関するａｃｃｅｓｓ  ｓｔｒａｔｕｍの制御を行う無線通信システムがある。
【０００８】
この技術によれば、ベアラ分割を伴うＤｕａｌ  Ｃｏｎｎｅｃｔｉｖｉｔｙが行われる場合に、ａｃｅｓｓ  ｓｔｒａｔｕｍの制御の改善に寄与することができる、とされる。
【先行技術文献】
【特許文献】
【０００９】
【特許文献１】特開２０１５−１７０８７２号公報
【特許文献２】国際公開第２０１５／０６３９６２号
【発明の概要】
【発明が解決しようとする課題】
【００１０】
しかしながら、ＣＡによる無線通信が行われる場合、基地局装置では過剰に無線リソースを割り当てる場合がある。例えば、Ｉｎｔｒａ−ｅＮＢ  ＣＡの場合では、１つの基地局装置において、ＣＡ通信用に割り当てた複数の無線リソースが同一又は重複する場合がある。或いは、Ｉｎｔｅｒ−ｅＮＢ  ＣＡの場合では、第１の基地局装置においてＣＡ通信用に割り当てた無線リソースと、第２の基地局装置においてＣＡ通信用に割り当て無線リソースとが同一又は重複する場合がある。このような場合、基地局装置が割り当てた無線リソースを利用して端末装置へ異なるデータを送信しても、端末装置では、同一リソースから異なるデータを受信したり抽出したりすることができない場合がある。従って、基地局装置による過剰な無線リソースの割り当てによって、スループットが向上しない場合がある。
【００１１】
上述した、余剰ある上りリンクリソースを利用して端末装置とＤ２Ｄ通信を行う技術では、Ｄ２Ｄ部によるＤ２Ｄ通信が行われる場合、Ｄ２Ｄ通信に対する無線通信方式の設定処理が行われる。従って、かかる技術では、新たな無線通信方式に対する設定処理によって、データ送信に時間がかかり、スループットの向上を図ることができない場合がある。
【００１２】
また、第１のネットワークベアラに関するａｃｃｅｓｓ  ｓｔｒａｔｕｍの制御を行う技術では、上述した基地局装置による過剰な無線リソースの割り当てによるスループットの低下に対しては何ら解決策を示していない。そのため、かかる技術では、スループットの向上を図ることができない場合がある。
【００１３】
そこで、一つの側面では、スループットの向上を図る基地局装置、データ送信方法、及びデータ送信プログラムを提供することにある。
【課題を解決するための手段】
【００１４】
一つの態様では、複数の周波数帯域を同時に用いて第１の端末装置と無線通信を行う基地局装置において、無線リソースが割り当てられなかった第２の端末装置の中から、データの送信対象となる端末装置を次点送信対象端末として選択する次点送信対象端末選択処理部と、前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する次点送信対象端末情報取得処理部とを備える。
【発明の効果】
【００１５】
一つの側面では、スループットの向上を図ることが可能となる。
【図面の簡単な説明】
【００１６】
【図１】図１は無線通信システムの構成例を表す図である。
【図２】図２はＢＢＵの構成例を表す図である。
【図３】図３は基地局装置における動作例を表すフローチャートである。
【図４】図４（Ａ）は通信状況の例、図４（Ｂ）はセル構成の例を夫々表す図である。
【図５】図５（Ａ）は優先度処理結果の例、図５（Ｂ）は無線リソースの割り当て結果の例を夫々表す図である。
【図６】図６（Ａ）は次点送信対象ＵＥ選択処理の例を表すフローチャート、図６（Ｂ）は無線リソースの割り当て結果の例を表す図である。
【図７】図７はリソース割り当て情報の例を表す図である。
【図８】図８は次点送信対象ＵＥ情報取得処理の例を表すフローチャートである。
【図９】図９（Ａ）はセル＃１、図９（Ｂ）はセル＃２のＭＡＣ  ＰＤＵの生成例を夫々表す図である。
【図１０】図１０（Ａ）は通信状況の例、図１０（Ｂ）はセル構成の例を夫々表す図である。
【図１１】図１１（Ａ）は優先度処理結果の例、図１１（Ｂ）は無線リソースの割り当て結果の例を夫々表す図である。
【図１２】図１２は次点送信対象ＵＥ選択処理の例を表すフローチャートである。
【図１３】図１３（Ａ）は無線リソースの割り当て結果の例、図１３（Ｂ）はリソース割り当て情報の例を夫々表す図である。
【図１４】図１４は次点送信対象ＵＥ情報取得処理の例を表すフローチャートである。
【図１５】図１５（Ａ）はセル＃１、図１５（Ｂ）はセル＃２のＭＡＣ  ＰＤＵの生成例を夫々表す図である。
【図１６】図１６（Ａ）は通信状況の例、図１６（Ｂ）はセル構成の例を夫々表す図である。
【図１７】図１７（Ａ）は優先度処理結果の例、図１７（Ｂ）は無線リソースの割り当て結果の例を夫々表す図である。
【図１８】図１８（Ａ）は無線リソースの割り当て結果の例、図１８（Ｂ）はリソース割り当て情報の例を夫々表す図である。
【図１９】図１９（Ａ）はセル＃１、図１９（Ｂ）はセル＃２のＭＡＣ  ＰＤＵの生成例を夫々表す図である。
【図２０】図２０は基地局装置のハードウェア構成例を表す図である。
【図２１】図２１は無線通信システムの構成例を表す図である。
【発明を実施するための形態】
【００１７】
以下、本実施の形態について図面を参照して詳細に説明する。本明細書における課題及び実施例は一例であり、本願の権利範囲を限定するものではない。そして、各実施の形態は、処理内容を矛盾させない範囲で適宜組み合わせることが可能である。また、本明細書で使用している用語や記載した技術的内容は、３ＧＰＰなど、通信に関する規格として仕様書に記載された用語や技術的内容が適宜用いられてもよい。
【００１８】
［第１の実施の形態］
＜無線通信システムの構成例＞
図１は、本第１の実施の形態における無線通信システム１０の構成例を表す図である。無線通信システム１０は、基地局装置（以下、「基地局」と称する場合がある。）１００と、端末装置（以下、「端末」と称する場合がある。）２００−１〜２００−４とを備える。
【００１９】
基地局１００は、例えば、端末２００−１〜２００−４と無線通信を行う無線通信装置である。基地局１００は、サービス提供可能範囲（又は通信可能範囲）に在圏する端末２００−１〜２００−４と無線通信を行うことで、端末２００−１〜２００−４に対して種々のサービスを提供する。
【００２０】
サービス提供可能範囲のことを、例えば、セルと称する場合がある。セルは、例えば、端末２００−１〜２００−４がセルＩＤ（Identification）により一意に識別可能なサービス提供可能範囲のことである。図１の例では、基地局１００には、３つのセル（セル＃１〜セル＃３）が存在する例を表している。
【００２１】
端末２００−１〜２００−４は、例えば、スマートフォン、フィーチャーフォン、タブレット端末、パーソナルコンピュータ、ゲーム装置などの無線通信装置である。端末２００−１〜２００−４は、基地局１００を介して、ＮＷ（Network）サーバなどから様々なサービスの提供を受けることが可能である。提供サービスとしては、例えば、Ｗｅｂ閲覧サービスや動画配信サービスなどがある。
【００２２】
図１に示すように、基地局１００は、ＢＢＵ（Base Band Unit）１１０と、ＲＲＨ（Remote Radio Head）１３０−１〜１３０−３、及びアンテナ１４０−１〜１４０−３を備える。ＢＢＵ１１０とＲＲＨ１３０−１〜１３０−３とは、例えば、数ｍ〜数ｋｍ程度離れていてもよい。なお、ＢＢＵ１１０をＲＥＣ（Radio Equipment Controller）、ＲＲＨ１３０−１〜１３０−３をＲＥ（Radio Equipment）と称する場合もある。
【００２３】
ＢＢＵ１１０は、ＮＷサーバなどから送信されたパケットデータを受信し、受信したパケットデータから端末２００−１〜２００−４宛のデータを抽出する。そして、ＢＢＵ１１０は、抽出したデータに対して誤り訂正符号化処理（以下、「符号化処理」と称する場合がある。）や変調処理などを施して、ベースバンド信号へ変換し、変換したベースバンド信号を各ＲＲＨ１３０−１〜１３０−３へ送信する。この際、ＢＢＵ１１０では、スケジューリングを行って、各端末２００−１〜２００−４に対して無線リソースを割り当てる。基地局１００と端末２００−１〜２００−４は、無線リソースを利用して無線通信を行う。なお、ＢＢＵ１１０は、スケジューリング結果を含む制御信号を生成し、生成した制御信号を各ＲＲＨ１３０−１〜１３０−３へ送信する。
【００２４】
また、ＢＢＵ１１０は、各ＲＲＨ１３０−１〜１３０−３から送信されたベースバンド信号を受信し、受信したベースバンド信号に対して復調処理や誤り訂正復号化処理などを施して、各端末２００−１〜２００−３から送信されたユーザデータなどを抽出する。ＢＢＵ１１０は、抽出したユーザデータに対して、ＮＷサーバへ送信可能なパケットデータへ変換し、変換後のパケットデータをＮＷサーバへ送信する。
【００２５】
各ＲＲＨ１３０−１〜１３０−３は、ＢＢＵ１１０から送信されたベースバンド信号を受信し、受信したベースバンド信号に対して、周波数変換処理などを施して、無線帯域の無線信号へ変換する（アップコンバート）。各ＲＲＨ１３０−１〜１３０−３は、変換後の無線信号を各アンテナ１４０−１〜１４０−３へそれぞれ出力する。
【００２６】
また、各ＲＲＨ１３０−１〜１３０−３は、各アンテナ１４０−１〜１４０−３からそれぞれ出力された無線信号を受け取り、受け取った無線信号に対して周波数変換処理などを施して、ベースバンド帯域のベースバンド信号へ変換する（ダウンコンバート）。各ＲＲＨ１３０−１〜１３０−３は、変換後のベースバンド信号をＢＢＵ１１０へ送信する。
【００２７】
各アンテナ１４０−１〜１４０−３は、各ＲＲＨ１３０−１〜１３０−３から出力された無線信号を各端末２００−１〜２００−４へそれぞれ送信する。また、各アンテナ１４０−１〜１４０−３は、各端末２００−１〜２００−４から送信された無線信号をそれぞれ受信し、受信した無線信号を各ＲＲＨ１３０−１〜１３０−３へそれぞれ出力する。
【００２８】
なお、図１に示す例では、アンテナ１４０−１によってセル＃１が形成され、アンテナ１４０−２によりセル＃２が形成され、アンテナ１４０−３によりセル＃３が形成される。図１に示す例では、３つのセルが形成される例を表しているが、２つのセルが形成されてもよいし、４つ以上のセルが形成されてもよい。セルの個数に応じて、アンテナ１４０−１〜１４０−３及びＲＲＨ１３０−１〜１３０−３が配置されてもよい。
【００２９】
図１の例では、端末２００−２は、セル＃１とセル＃２の間の領域に在圏し、基地局１００は、この端末２００−２に対して、ＣＡによる無線通信を行っている例を表している。
【００３０】
ＣＡは、上述したように、例えば、基地局１００が複数の周波数帯域を同時に用いて端末２００と無線通信を行う技術である。１つ１つの周波数帯域のことを、例えば、コンポーネントキャリア（ＣＣ）と称する場合がある。例えば、ＣＣは最大２０ＭＨｚの帯域幅を有し、最大で５つのＣＣが用いられてもよい。図１の例では、基地局１００は、周波数ｆ１を利用してアンテナ１４０−１から第１のデータを送信し、周波数ｆ２を利用してアンテナ１４０−２から第２のデータを同時に送信する例を表している。図１の例では、Ｉｎｔｒａ−ｅＮＢ  ＣＡの例を表している。
【００３１】
なお、以下において、端末２００−１〜２００−４のことを、端末２００と称する場合がある。
【００３２】
＜ＢＢＵの構成例＞
図２はＢＢＵ１１０の構成例を表す図である。ＢＢＵ１１０は、パケット受信部１１１、データ受信部１１２、送信データ量計算部１１３、送信データ量情報送信部１１４、スケジューラ１１５−１〜１１５−３を備える。また、ＢＢＵ１１０は、リソース割り当て情報受信部１２２、ＭＡＣ  ＰＤＵ（Media Access Control Protocol Data Unit）生成処理部１２３、ＭＡＣ  ＰＤＵ送信部１２５、Ｌ１処理部１２６、及びメモリ１２７を備える。
【００３３】
さらに、スケジューラ１１５−１は、送信データ量情報受信部１１６、優先度計算処理部１１７、リソース割り当て処理部１１８、次点送信対象ＵＥ（User Equipment）選択処理部（又は次点送信対象端末選択処理部）１１９、リソース割り当て情報送信部１２０、及びメモリ１２１を備える。
【００３４】
また、ＭＡＣ  ＰＤＵ生成処理部１２３は、次点送信対象ＵＥ情報取得処理部（又は次点送信対象端末情報取得処理部）１２４を備える。
【００３５】
なお、図２の例では、スケジューラ１１５−１〜１１５−３は３つの例を表している。各スケジューラ１１５−１〜１１５−３は、例えば、各セル＃１〜＃３にそれぞれ対応する。すなわち、スケジューラ１１５−１は、セル＃１において、端末２００と無線通信を行う場合のスケジューリングを行う。また、スケジューラ１１５−２は、セル＃２において、端末２００と無線通信を行う場合のスケジューリングを行う。スケジューラ１１５−３は、セル＃３において、端末２００と無線通信を行う場合のスケジューリングを行う。セルが４つ以上あれば、各セルに対応して４つ以上のスケジューラが配置される。スケジューラ１１５−１〜１１５−３はいずれも同一構成のため、代表してスケジューラ１１５−１を例にして説明する。
【００３６】
また、データ受信部１１２と送信データ量計算部１１３、及び送信データ量情報送信部１１４は、ＲＬＣ（Radio Link Control）レイヤにおける処理ブロックである。また、リソース割り当て情報受信部１２２、ＭＡＣ  ＰＤＵ生成処理部１２３、及びＭＡＣ  ＰＤＵ送信部１２５は、ＭＡＣレイヤにおける処理ブロックである。
【００３７】
パケット受信部１１１は、ＮＷサーバなどから送信されたパケットデータを受信し、受信したパケットデータからユーザデータ（以下、「データ」と称する場合がある。）を抽出する。パケット受信部１１１は、抽出したデータをデータ受信部１１２へ出力する。
【００３８】
この際、パケット受信部１１１は、例えば、以下の処理を行う。すなわち、パケット受信部１１１は、パケットデータから抽出したデータに対してＰＤＣＰ（Packet Data Convergence Protocol）ヘッダを付加するなどして、ＰＤＣＰ（Packet Data Convergence Protocol） ＰＤＵを生成する。そして、パケット受信部１１１は、生成したＰＤＣＰ  ＰＤＵに対してＲＬＣ（Radio Link Control）ヘッダを付加するなどして、ＲＬＣ  ＰＤＵを生成する。パケット受信部１１１は、ＲＬＣ  ＰＤＵをデータ受信部１１２へ出力する。
【００３９】
データ受信部１１２は、パケット受信部１１１からデータを受け取る。例えば、データ受信部１１２は、パケット受信部１１１から出力されたＲＬＣ  ＰＤＵを受け取り、ＲＬＣ  ＰＤＵからデータを抽出する。データ受信部１１２は、受け取った（又は抽出した）データを送信データ量計算部１１３へ出力する。
【００４０】
送信データ量計算部１１３は、データ受信部１１２から受け取ったデータのデータ量を計算する。例えば、送信データ量計算部１１３は、端末２００毎に所定時間あたりに、データ受信部１１２から受け取ったデータのデータ量をカウントする。送信データ量計算部１１３は、計算した送信データ量を送信データ量情報送信部１１４へ出力する。
【００４１】
送信データ量情報送信部１１４は、送信データ量計算部１１３から受け取った送信データ量をスケジューラ１１５−１へ送信する。
【００４２】
送信データ量情報受信部１１６は、送信データ量情報送信部１１４から出力された送信データ量を受信する。送信データ量情報受信部１１６は、受信した送信データ量を優先度計算処理部１１７へ出力する。
【００４３】
優先度計算処理部１１７は、例えば、無線品質と送信データ量とに基づいて、端末２００の優先度を計算する。本第１の実施の形態では、優先度計算処理部１１７は、無線品質が高い順に端末２００を順位付けし、同順のときは、送信データ量多い端末２００の順に順位付けする。優先度計算処理部１１７は、順位付けした各順番を「優先度」としている。
【００４４】
図５（Ａ）は優先度処理結果の例を表す図である。詳細は動作例で説明するが、優先度が「１」は、セルの中で最も優先度が高く、かつ、送信データ量も多い端末２００となる。図２に戻り、優先度計算処理部１１７は、計算した優先度をリソース割り当て処理部１１８へ出力する。
【００４５】
リソース割り当て処理部１１８は、優先度計算処理部１１７から受け取った優先度に基づいて、配下の端末２００に対して無線リソース（例えば、周波数リソース及び時間リソース）を割り当てる。リソース割り当て処理部１１８は、例えば、優先度の高い順に、予め決められた割り当て可能な端末数分の端末２００を選択し、選択した端末２００に対して、予め決められた無線リソース数分の無線リソースを割り当てる。図５（Ｂ）は無線リソースの割り当て例を表す図である。詳細は後述する。図２に戻り、リソース割り当て処理部１１８は、例えば、割り当て結果と優先度とを次点送信対象ＵＥ選択処理部１１９へ出力する。
【００４６】
次点送信対象ＵＥ選択処理部（以下、「ＵＥ選択処理部」と称する場合がある。）１１９は、無線リソースが割り当てられなかった端末２００の中から、優先度に基づいて、データの送信対象となる端末を次点送信対象ＵＥ（又は次点送信対象端末）として選択する。例えば、図５（Ｂ）の例では、セル＃１においては、優先度「４」以下の端末２００−１４等が、無線リソースが割り当てられなかった端末２００となる。ＵＥ選択処理部１１９は、このような端末２００−１４等の中から、次点送信対象ＵＥを選択する。次点送信対象ＵＥの選択処理の詳細は動作例で説明する。図２に戻り、ＵＥ選択処理部１１９は、例えば、次点送信対象ＵＥの情報と、リソース割り当て結果とを、リソース割り当て情報として、リソース割り当て情報送信部１２０へ出力する。
【００４７】
リソース割り当て情報送信部１２０は、ＵＥ選択処理部１１９から受け取ったリソース割り当て情報をリソース割り当て情報受信部１２２へ出力する。
【００４８】
メモリ１２１は、例えば、スケジューラ１１５−１の各ブロック１１６等により適宜アクセス可能となっており、これらのブロック１１６等によってデータや情報などが適宜書き込まれたり、読み出されたりすることが可能である。
【００４９】
リソース割り当て情報受信部１２２は、リソース割り当て情報送信部１２０から出力されたリソース割り当て情報を受け取り、受け取ったリソース割り当て情報をＭＡＣ ＰＤＵ生成処理部１２３へ出力する。
【００５０】
ＭＡＣ  ＰＤＵ生成処理部１２３は、例えば、次点送信対象ＵＥ情報取得処理部１２４において選択された端末２００に対して、その端末２００の送信データに対するＭＡＣ  ＰＤＵを生成する。ＭＡＣ  ＰＤＵ生成処理部１２３は、生成したＭＡＣ  ＰＤＵをＭＡＣ ＰＤＵ送信部１２５へ出力する。
【００５１】
次点送信対象ＵＥ情報取得処理部（以下、「ＵＥ情報取得処理部」と称する場合がある。）１２４は、無線リソースに余剰があるとき、余剰リソースで送信可能なデータ量を有する端末２００を、次点送信対象ＵＥの中から選択する。そして、ＵＥ情報取得処理部１２４は、選択した端末２００に対するデータを、余剰リソースを利用して端末２００へ向けて送信する。ＵＥ情報取得処理部１２４で行われる次点送信対象ＵＥ情報取得処理の詳細は動作例で説明する。
【００５２】
ＭＡＣ  ＰＤＵ送信部１２５は、ＭＡＣ  ＰＤＵ生成処理部１２３から受け取ったＭＡＣ  ＰＤＵに対して、例えば、ＣＲＣ（Cyclic Redundancy Check）を付加するなどして、Ｌ１レイヤのトランスポートブロックを生成して、Ｌ１処理部１２６へ出力する。
【００５３】
Ｌ１処理部１２６は、Ｌ１レイヤのトランスポートブロックに対して、符号化処理や変調処理などを施して、ベースバンド信号に変換し、変換後のベースバンド信号を各ＲＲＨ１３０−１〜１３０−３へ出力する。
【００５４】
メモリ１２７は、例えば、端末２００宛の送信データを記憶する。メモリ１２７は、例えば、送信データバッファとして機能する。メモリと送信データバッファとを区別しないで用いる場合がある。メモリ１２７は、パケット受信部１１１からＬ１処理部１２６により適宜アクセス可能となっており、これらの処理ブロックによってデータや情報などが適宜書き込まれたり、読み出されたりすることが可能である。
【００５５】
＜動作例＞
次に動作例について説明する。図３は基地局１００における動作例を表す図である。
【００５６】
基地局１００は、処理を開始すると（Ｓ１０）、送信データを受信する（Ｓ１１）。例えば、データ受信部１１２は、端末２００毎に端末２００宛の送信データを受信する。
【００５７】
図４（Ａ）は、基地局１００における各端末２００の通信状況の例を表す図である。図４（Ａ）に示すように、基地局１００は、全部で１５台の端末２００−１（ＵＥ＃１）〜２００−１５（ＵＥ＃１５）と無線通信を行っている。
【００５８】
図４（Ｂ）は、基地局１００におけるセル構成の例を表す図である。図４（Ｂ）に示すように、基地局１００のセル＃１に、端末２００−２（ＵＥ＃２），２００−４（ＵＥ＃４），２００−６（ＵＥ＃６），２００−８（ＵＥ＃８），２００−１０（ＵＥ＃１０），２００−１２（ＵＥ＃１２），２００−１４（ＵＥ＃１４）が在圏する。また、基地局１００のセル＃２には、端末２００−３（ＵＥ＃３），２００−５（ＵＥ＃５），２００−７（ＵＥ＃７），２００−９（ＵＥ＃９），２００−１１（ＵＥ＃１１），２００−１３（ＵＥ＃１３），２００−１５（ＵＥ＃１５）が在圏する。端末２００−１（ＵＥ＃１）は、セル＃１とセル＃２の双方に在圏し、ＣＡ通信を行っている。
【００５９】
図４（Ａ）において、「ＣＡ実施」は、例えば、各端末２００においてＣＡ通信が行われているか否かを表す。例えば、スケジューラ１１５−１において端末２００に対してＣＡ実施を行うことを決定したときは「有り」、ＣＡ実施を行っていないときは「無し」となる。また、「ＣＡ実施」が「有り」の場合、スケジューラ１１５−１では、Ｐｃｅｌｌ（Primary cell）とＳＣｅｌｌ（Secondary Cell）の双方のセルも決定するため、「Ｐｃｅｌｌ」と「ＳＣｅｌｌ」にそれぞれのセルＩＤが表示される。「無線品質」は、例えば、端末２００において測定された、基地局１００と端末２００との間の無線区間における品質であって、端末２００から送信された無線品質がＬ１処理部１２６において受信したものである。「無線品質」は、例えば、Ｌ１処理部１２６によって、スケジューラ１１５−１のメモリ１２１に記憶される。
【００６０】
図３に戻り、次に、基地局１００は、送信データ量を計算する（Ｓ１２）。例えば、送信データ量計算部１１３は、データ受信部１１２から受け取った端末２００宛の送信データのデータ量を所定時間カウントすることで、端末２００毎に送信データ量を計算する。図４（Ａ）では、「送信データ量」において、端末２００毎の送信データ量が表示されている。
【００６１】
図３に戻り、次に、基地局１００は、優先度を計算する（Ｓ１３）。例えば、優先度計算処理部１１７は、送信データ量情報受信部１１６から受け取った送信データ量と、メモリ１２１から読み出した無線品質とに基づいて優先度を計算する。上述したように、「優先度」は、例えば、無線品質が高い順に、同順であれば送信データ量の多い順に、端末２００を順位付けしたものを表している。
【００６２】
図５（Ａ）は、優先度処理結果の例を表す図である。図５（Ａ）に示すように、セル＃１においては、端末２００−１（ＵＥ＃１）が最も優先度が高く、端末２００−６（ＵＥ＃６）が最も優先度が低い。また、セル＃２においては、端末２００−５（ＵＥ＃５）が最も優先度が高く、端末２００−３（ＵＥ＃３）の優先度が最も低い。
【００６３】
なお、図５（Ａ）において、２つのセルに分けて示されているのは、セル＃１は、スケジューラ１１５−１、セル＃２はスケジューラ１１５−２がそれぞれ管理しているためである。セル＃１対応の優先度計算処理部１１７−１では、セル＃１に在圏する端末２００の優先度を計算し、セル＃２対応の優先度計算処理部１１７−２では、セル＃２に在圏する端末２００の優先度を計算する。図５（Ａ）は２つの優先度計算処理部１１７−１，１１７−２の優先度処理結果を１つの表にまとめたものである。
【００６４】
また、図５（Ａ）において、端末２００−１（ＵＥ＃１）は、ＣＡ通信を行っているため、２つのセル＃１，＃２の双方において優先度が計算されている。図５（Ａ）の例では、端末２００−１は、セル＃１においては、優先度は「１」、セル＃２においては、優先度が「２」となっている。なお、図５（Ａ）に示す情報は、例えば、優先度計算処理部１１７によってメモリ１２１に記憶されてもよい。
【００６５】
図３に戻り、次に、基地局１００は、優先度の高い順に無線リソースの割り当てを行う（Ｓ１４）。例えば、リソース割り当て処理部１１８は、優先度の高い順に、予め決められた割り当て可能な端末数分の端末２００を選択し、選択した端末２００に対して、予め決められた無線リソース数分の無線リソースを割り当てる。
【００６６】
図５（Ｂ）は、無線リソースの割り当て結果の例を表す図である。図５（Ｂ）の例では、割り当て可能な端末数は「３」であり、優先度の高い順に３つの端末２００が選択される。例えば、セル＃１においては、優先度「１」から「３」の３つの端末２００−１（ＵＥ＃１），２００−１０（ＵＥ＃１０），２００−４（ＵＥ＃４）がこの順で選択される。また、セル＃２においては、優先度「１」から「３」の３つの端末２００−５（ＵＥ＃５），端末２００−１（ＵＥ＃１），端末２００−１３（ＵＥ＃１３）がこの順で選択される。そして、優先度計算処理部１１７は、送信データ量に応じた比率で、無線リソース数を割り当てる。図５（Ｂ）の例では、セル＃１対応の優先度計算処理部１１７−１は、選択した３つの端末２００−５（ＵＥ＃５），端末２００−１（ＵＥ＃１），端末２００−１３（ＵＥ＃１３）に、「４０ＲＢ（Resource Block）」、「４０ＲＢ」、「２０ＲＢ」をそれぞれ割り当てる。また、セル＃２対応の優先度計算処理部１１７−２は、選択した３つの端末２００−５（ＵＥ＃５），端末２００−１（ＵＥ＃１），端末２００−１３（ＵＥ＃１３）に、「５０ＲＢ」、「２０ＲＢ」、「３０ＲＢ」を割り当てる。
【００６７】
以下においては、リソース割り当て処理部１１８において無線リソースが割り当てられた端末２００のことを、例えば、送信対象端末と称する場合がある。ただし、次点送信対象ＵＥ選択処理により選択された端末２００も含めて、例えば、送信対象端末と称する場合もある。
【００６８】
図３に戻り、次に、基地局１００は、次点送信対象ＵＥ選択処理を行う（Ｓ１５）。
【００６９】
図６（Ａ）は次点送信対象ＵＥ選択処理の例を表すフローチャートである。以下、次点送信対象ＵＥ選択処理の詳細について説明する。
【００７０】
＜次点送信対象ＵＥ選択処理＞
基地局１００は、次点送信対象ＵＥ選択処理を開始すると（Ｓ１５０）、各端末２００に対して、送信対象端末として選択されなかった端末の中から優先度順に次点送信対象ＵＥを選択する（Ｓ１５１，Ｓ１５２）。
【００７１】
図６（Ｂ）は、次点送信対象ＵＥの選択例を表す図である。例えば、ＵＥ選択処理部１１９は、無線リソースが割り当てられなかった端末２００の中から、優先度の高い順に、予め決められた台数分の端末２００を選択する。図６（Ｂ）の例では、「３」台となっている。次点送信対象ＵＥとして選択可能な端末２００の台数は、例えば、１台でもよいし、２台でもよいし、４台以上であってもよい。
【００７２】
すなわち、セル＃１対応のＵＥ選択処理部１１９−１は、次点送信対象ＵＥとして、端末２００−１４（ＵＥ＃１４），２００−１２（ＵＥ＃１２），２００−３（ＵＥ＃２）を選択している。また、セル＃２対応のＵＥ選択処理部１１９−２は、次点送信対象ＵＥとして、端末２００−１５（ＵＥ＃１５），２００−１１（ＵＥ＃１１），２００−９（ＵＥ＃９）を選択している。これらは、いずれも、送信対象端末ではない端末の中から、優先度の高い順に選択された端末となっている。  
【００７３】
ＵＥ選択処理部１１９−１，１１９−２は、選択した次点送信対象ＵＥと、リソース割り当て処理部１１８から受け取った無線リソースの割り当て結果とを、リソース割り当て情報として、リソース割り当て情報送信部１２０へ出力する。
【００７４】
図７は、リソース割り当て情報の例である。図７では、２つのセルについてまとめて記載しているが、例えば、リソース割り当て情報送信部１２０−１はセル＃１側、リソース割り当て情報送信部１２０−２はセル＃２側のリソース割り当て情報をそれぞれリソース割り当て情報受信部１２２へ出力する。
【００７５】
図６（Ａ）に戻り、基地局１００は、台数分の次点送信対象ＵＥを選択すると、ループを終了して、次点送信対象ＵＥ選択処理を終了する（Ｓ１５３，Ｓ１５４）。
【００７６】
以上が次点送信対象ＵＥ選択処理の動作例である。
【００７７】
図３に戻り、次に、基地局１００は、次点送信対象ＵＥ情報取得処理を行う（Ｓ１７）。以下、次点送信対象ＵＥ情報取得処理の詳細について説明する。
【００７８】
＜次点送信対象ＵＥ情報取得処理＞
図８は、次点送信対象ＵＥ情報取得処理の例を表すフローチャートである。
【００７９】
基地局１００は、次点送信対象ＵＥ情報取得処理を開始すると（Ｓ１７０）、送信対象端末２００に対して以下の処理を繰り返す（Ｓ１７１）。
【００８０】
すなわち、基地局１００は、送信対象の各端末２００について送信データの有無を判別する（Ｓ１７２）。基地局１００は、送信データが有れば（Ｓ１７２でＹｅｓ）、対象となる送信データについてＭＡＣ  ＰＤＵを生成する（Ｓ１７４）。一方、基地局１００は、送信データが無ければ（Ｓ１７２でＮｏ）、次点送信対象ＵＥを選択し（Ｓ１７３）、次点送信対象ＵＥ宛の送信データについてＭＡＣ  ＰＤＵを生成する（Ｓ１７４）。
【００８１】
図９（Ａ）は、セル＃１側のＭＡＣ  ＰＤＵの生成例を表し、図９（Ｂ）は、セル＃２側のＭＡＣ  ＰＤＵの生成例を表す。図９（Ａ）と図９（Ｂ）と用いて、Ｓ１７２〜Ｓ１７４の例について以下説明する。ただし、ＵＥ情報取得処理部１２４は、セル＃１側から先に処理を行い、次に、セル＃２側の処理を行う。
【００８２】
図９（Ａ）に示すように、ＵＥ情報取得処理部１２４は、セル＃１において、優先度が「１」となっている端末２００−１（ＵＥ＃１）に対し、端末２００−１宛の送信データが送信データバッファ１２７に記憶されているか否か判別する（Ｓ１７２）。この時点では、とくに、端末２００−１宛の送信データについて処理が行われているわけではないため、ＵＥ情報取得処理部１２４は、送信データ有り（Ｓ１７２でＹｅｓ）と判別する。
【００８３】
そして、ＭＡＣ  ＰＤＵ生成処理部１２３は、端末２００−１宛の送信データについて、ＭＡＣ  ＰＤＵを生成し、ＭＡＣ  ＰＤＵ送信部１２５へ出力する（Ｓ１７４）。このとき、ＵＥ情報取得処理部１２４は、端末２００−１宛の送信データを、送信データバッファ１２７から削除する。
【００８４】
同様にして、ＵＥ情報取得処理部１２４は、優先度「２」となっている端末２００−１０（ＵＥ＃１０）と、優先度が「３」となっている端末２００−４（ＵＥ＃４）に対して、送信データの有無を判別する（Ｓ１７２）。この場合も、これらの端末２００−１０，２００−４宛の送信データに対して処理が行われているわけではないため、送信データバッファ１２７にこれらの送信データは記憶されている。そのため、ＵＥ情報取得処理部１２４は、送信データ有り（Ｓ１７２でＹｅｓ）と判別する。そして、ＵＥ情報取得処理部１２４は、端末２００−１０宛の送信データと、端末２００−４宛の送信データとに対して、順次、ＭＡＣ  ＰＤＵを生成し、端末２００−１０，２００−４へ向けて送信する。これらの送信データも、送信データバッファ１２７から順次削除される。
【００８５】
次に、ＵＥ情報取得処理部１２４は、セル＃２側の送信対象端末に対して、優先度が高い順に処理を行う。すなわち、ＵＥ情報取得処理部１２４は、セル＃２において、優先度が「１」となっている端末２００−５（ＵＥ＃５）に対し、端末２００−５宛の送信データが送信データバッファ１２７に記憶されているか否かを判別する（Ｓ１７２）。この場合も、端末２００−５宛の送信データは送信データバッファ１２７に記憶されており、ＵＥ情報取得処理部１２４は、送信データ有り（Ｓ１７２でＹｅｓ）と判別する。
【００８６】
そして、ＭＡＣ  ＰＤＵ生成処理部１２３は、端末２００−５宛の送信データについて、ＭＡＣ  ＰＤＵを生成し、ＭＡＣ  ＰＤＵ送信部１２５へ出力する（Ｓ１７４）。ＵＥ情報取得処理部１２４は、端末２００−５宛の送信データを送信データバッファ１２７から削除する。
【００８７】
次に、ＵＥ情報取得処理部１２４は、優先度が「２」となっている端末２００−１（ＵＥ＃１）に対して送信データの有無を判別する（Ｓ１７２）。端末２００−１宛の送信データについては、既に、セル＃１側において優先度が「１」であったため、Ｓ１７２〜Ｓ１７４の処理が既に行われた。そのため、端末送信データバッファ１７２には、端末２００−１宛の送信データは削除されている。
【００８８】
これは、端末２００−１がＣＡ対象となっており、スケジューラ１１５−１，１１５−２の双方で無線リソースの割り当てが行われているためである。ＵＥ情報取得処理部１２４では、端末２００−１宛の送信データに対して、２つのリソース割り当て情報をスケジューラ１１５−１，１１５−２から受信する。ＵＥ情報取得処理部１２４では、セル＃１から順にＭＡＣ  ＰＤＵを生成し、端末２００−１宛の送信データを送信している。そのため、セル＃２側、すなわち、スケジューラ１１５−２でスケジューリングされた端末２００−１宛の送信データに対してＵＥ情報取得処理部１２４において、ＭＡＣ  ＰＤＵを生成しようとするとき、送信データバッファ１２７には、端末２００−１宛の送信データは既に削除されている。
【００８９】
具体的には、例えば、以下となる。すなわち、セル＃１に対応するリソース割り当て処理部１１８−１において、端末２００−１に対して、第１の無線リソースを割り当てる。また、セル＃２に対応するリソース割り当て処理部１１８−２では、端末２００−１に対して、第２の無線リソースを割り当てる。ＵＥ情報取得処理部１２４は、第１の無線リソースを利用して、端末２００−１宛の送信データに対してＭＡＣ  ＰＤＵを生成する。すなわち、ＵＥ情報取得処理部１２４は、第２の無線リソースを利用することなく、第１の無線リソースを利用して、端末２００−１宛の送信データを送信する。このとき、第２の無線リソースが余剰リソースとなり得る。ここで、例えば、第１の無線リソースは、第１の周波数リソースと第１の時間リソースとを含む。また、例えば、第２の無線リソースは、第２の周波数リソースと第１の時間リソースとを含む。
【００９０】
このような場合、基地局１００では、パディング処理を行って、ＭＡＣ  ＰＤＵを生成する場合がある。すなわち、基地局１００では、スケジューラ１１５−２でスケジューリングされた端末２００−１に対して、その端末２００−１宛の送信データの代わりに、パディングデータに対して、ＭＡＣ  ＰＤＵを生成して、パディングデータを送信する場合がある。
【００９１】
しかし、基地局１００において、余剰リソースを利用して、端末２００−１宛の送信データを送信するのではなく、パディングデータを送信することは、無線リソースを有効的に活用しているとは言い難い。
【００９２】
そこで、本第１の実施の形態では、基地局１００では、余剰リソースで送信可能なデータ量を有する端末２００を、次点送信対象ＵＥの中から選択する（Ｓ１７３）。
【００９３】
図９（Ｂ）の例では、ＵＥ情報取得処理部１２４は、端末２００−１宛にスケジューリングされた無線リソース数は「２０ＲＢ」となっている。ただし、この無線リソース数は、セル＃２側において、全体として「１００ＲＢ」となるような比率で割り当てたリソース数であって、端末２００−１宛の送信データ量は「４０ＫＢ」である。余剰リソースで送信可能なデータ量は最大で「４０ＫＢ」である。セル＃２で次点送信対象ＵＥの中で優先度の最も高い端末２００−１５（ＵＥ＃１５）の送信データ量は「３５ＫＢ」である。この送信データ量「３５ＫＢ」は、余剰リソースで送信可能なデータ量となっているため、ＵＥ情報取得処理部１２４は、端末２００−１５を選択する。
【００９４】
そして、ＵＥ情報取得処理部１２４は、端末２００−１５宛の送信データに対して、ＭＡＣＰ  ＰＤＵを生成し、端末２００−１５へ送信する（Ｓ１７４）。
【００９５】
次に、ＵＥ情報取得処理部１２４は、セル＃２において、優先度が「３」となっている端末２００−１３（ＵＥ＃１３）に対して送信データの有無を判別する（Ｓ１７２）。この場合、端末２００−１３宛の送信データもいずれも送信データバッファ１２７に記憶されているため（Ｓ１７２でＹｅｓ）、ＵＥ情報取得処理部１２４は、端末２００−１３宛の送信データに対してＭＡＣ  ＰＤＵを生成する（Ｓ１７４）。
【００９６】
ＵＥ情報取得処理部１２４は、送信対象の端末（図９（Ａ）の例では優先度が「１」から「３」までの端末）に対して、ＭＡＣ  ＰＤＵを生成すると、ループを終了し（Ｓ１７５）、次点送信対象ＵＥ情報取得処理を終了する（Ｓ１７６）。
【００９７】
以上が、次点送信対象ＵＥ情報取得処理の例である。
【００９８】
図３に戻り、基地局１００は、次点送信対象ＵＥ情報取得処理（Ｓ１７）が終了すると、一連の処理を終了する（Ｓ１８）。
【００９９】
このように、本第１の実施の形態では、基地局１００は、ＣＡ通信による重複したスケジューリングにより、ＭＡＣ  ＰＤＵ生成の際に対象となる送信データがない場合、次点送信送対象ＵＥの中から優先度の高い端末２００−１５を選択する。そして、基地局１００は、選択した端末２００−１５宛のデータに対してＭＡＣ  ＰＤＵを生成して、端末２００−１５へ送信する。
【０１００】
これにより、端末２００−１宛の送信データのために割り当てた無線リソースを、端末２００−１５宛の送信データのために利用することができ、無線リソースの有効活用化を図ることができる。
【０１０１】
また、図７の場合において、セル＃２の端末２００−１（ＵＥ＃１）の送信データに対してＭＡＣ  ＰＤＵを生成する時点で、この送信データが無い場合、基地局１００では、パディングデータを送信する場合もある。この場合、セル＃２においては、基地局１００は、端末２００−５（ＵＥ＃５）と端末２００−１３（ＵＥ＃１３）の送信データを送信することになる。
【０１０２】
一方、本第１の実施の形態では、図９（Ｂ）に示すように、基地局１００は、次点送信対象ＵＥから選択した端末２００−１５（ＵＥ＃１５）の送信データを送信する。従って、基地局１００では、セル＃２において、更に、端末２００−１５（ＵＥ＃１５）の送信データを送信することが可能となる。よって、本第１の実施の形態における基地局１００は、パディングデータを送信する場合と比較して、同じ無線リソース数で多くの送信データを送信することが可能となり、スループットの向上を図ることが可能となる。
【０１０３】
［第２の実施の形態］
次に第２の実施の形態について説明する。第１の実施の形態では、例えば、次点送信対象ＵＥの選択数は、予め決められた数とする例について説明した。第２の実施の形態では、例えば、余剰リソース分の端末２００を次点送信対象ＵＥとして選択する例である。
【０１０４】
図１０（Ａ）は、基地局１００における端末２００の通信状況の例を表す図である。また、図１０（Ｂ）は、セル構成の例を表す図である。図１０（Ａ）及び図１０（Ｂ）において、第１の実施の形態と異なるのは、端末２００−１０（ＵＥ＃１０）が、更に、ＣＡ通信を行っていることである。そのため、図１０（Ａ）に示すように、端末２００−１０は、「ＣＡ実施」は「有り」であり、「Ｐｃｅｌｌ」と「Ｓｃｅｌｌ」にそれぞれ対応するセルＩＤが表示されている。
【０１０５】
全体の動作例は、第１の実施の形態と同様に、例えば、図３に示すフローチャートが利用されてもよい。以下、第２の実施の形態における動作例について説明する。
【０１０６】
データ受信部１１２において、図１０（Ａ）に示す各端末２００のデータを受信し（Ｓ１１）、送信データ量計算部１１３において、端末２００毎に送信データ量を計算する（Ｓ１２）。また、優先度計算処理部１１７において、無線品質と送信データ量に基づいて優先度を計算し（Ｓ１３）、リソース割り当て処理部１１８において、無線リソースの割り当てを行う。
【０１０７】
図１１（Ａ）は優先度処理結果の例を表す図である。セル＃１対応の優先度計算処理部１１７−１では、最も高い優先度「１」として、端末２００−１（ＵＥ＃１）を選択し、最も低い優先度「８」として、端末２００−６（ＵＥ＃６）を選択している。また、セル＃２対応の優先度計算処理部１１７−２では最も高い優先度「１」として、端末２００−５（ＵＥ＃５）を選択し、最も低い優先度「９」として、端末２００−３（ＵＥ＃３）を選択している。
【０１０８】
また、図１１（Ｂ）は無線リソースの割り当て結果の例を表す図である。第１の実施の形態と同様に、リソース割り当て処理部１１８は、優先度の高い順に「３」台の端末２００に対して、無線リソースを割り当てている。
【０１０９】
そして、基地局１００では、次点送信対象ＵＥ選択処理（図３のＳ１５）を行う。
【０１１０】
図１２は、第２の実施の形態における次点送信対象ＵＥ選択処理の例を表すフローチャートである。
【０１１１】
基地局１００は、次点送信対象ＵＥ選択処理を開始すると（Ｓ１５０）、スケジューラ１１５−１で無線リソースを割り当てた送信対象端末の各々に対して、ＣＡ構成の有無（又はＣＡ通信を行っているか否か）を判別する（Ｓ１８１）。例えば、基地局１００では以下の処理を行う。
【０１１２】
すなわち、リソース割り当て処理部１１８では、端末２００から送信された無線品質をメモリ１２１から読み出して、無線品質に基づいてＣＡ通信を行うか否かを決定している。リソース割り当て処理部１１８は、どの端末２００がＣＡ通信を行うかを、メモリ１２１に記憶する。ＵＥ選択処理部１１９は、メモリ１２１にアクセスして、端末２００毎にＣＡ通信の実施の有無を確認することで、ＣＡ構成の有無を判別してもよい。
【０１１３】
基地局１００は、送信対象端末について、ＣＡ構成であるとき（又はＣＡ通信を行っているとき）（Ｓ１８１でＹｅｓ）、次点割り当て可能リソース数として、ＣＡ構成の端末２００に割り当てた無線リソースを加算する（Ｓ１８２）。一方、基地局１００は、送信対象端末について、ＣＡ構成ではないとき（又はＣＡ通信を行っていないとき）（Ｓ１８１でＮｏ）、次点割り当て可能リソース数に加算することなく、Ｓ１８３へ移行する。
【０１１４】
例えば、図１１（Ｂ）の例で、Ｓ１８１とＳ１８２について説明する。図１１（Ｂ）において、スケジューラ１１５−１で割り当てた送信対象端末のうち、ＣＡ構成となっているのは、端末２００−１（ＵＥ＃１）と端末２００−１０（ＵＥ＃１０）である。この場合、ＵＥ選択処理部１１９は、端末２００−１の無線リソース数「４０ＲＢ」と端末２００−１０の無線リソース数「４０ＲＢ」とを加算し、加算した「８０ＲＢ」を、次点割り当て可能リソース数とする（Ｓ１８２）。従って、セル＃１に対しては、次点割り当て可能リソース数は「８０ＲＢ」となる。一方、図１１（Ｂ）において、スケジューラ１１５−２で割り当てた送信対象端末のうち、ＣＡ構成となっているのは、端末２００−１である。この場合、ＵＥ選択処理部１１９は、端末２００−１の無線リソース数「４０ＲＢ」を、次点割り当て可能リソース数とする（Ｓ１８２）。従って、セル＃２に対しては、次点割り当て可能リソース数は「４０ＲＢ」となる。
【０１１５】
図１２に戻り、基地局１００は、Ｓ１８３において、全ての送信対象ＵＥに対して、Ｓ１８１〜Ｓ１８２の処理を終了していなければ、Ｓ１８０へ移行して上述の処理を繰り返し、終了していれば、Ｓ１８４へ移行する（Ｓ１８３）。
【０１１６】
Ｓ１８４において、基地局１００は、各端末２００に対して、以下の処理を行う。すなわち、基地局１００は、送信対象端末以外の端末の中から、次点送信対象ＵＥを選択する（Ｓ１８５）。例えば、ＵＥ選択処理部１１９は、第１の実施の形態と同様に、送信対象端末以外の端末の中から、優先度の高い順に、次点送信対象ＵＥを選択する。図１１（Ｂ）の例では、ＵＥ選択処理部１１９は、セル＃１に対して、端末２００−１２（ＵＥ＃１２）を選択する。
【０１１７】
図１２に戻り、次に、基地局１００は、次点割り当て可能リソース数から次点送信対象ＵＥのリソース数分を減算する（Ｓ１８６）。図１１（Ｂ）の例では、ＵＥ選択処理部１１９は、セル＃１の次点割り当て可能リソース数「８０ＲＢ」から、次点送信対象ＵＥである端末２００−１２のリソース数「５０ＲＢ」を減算する。減算の結果は「３０ＲＢ」（＝８０−３０）となる。減算結果が、次点割り当てリソース数となる。
【０１１８】
次に、基地局１００は、次点割り当て可能リソース数が「０」よりも大きいとき（Ｓ１８７でＹｅｓ）、端末数分のループ（Ｓ１８４）を終了する（Ｓ１８８）。そして、基地局１００は、一連の処理を終了する（Ｓ１８９）。
【０１１９】
一方、基地局１００は、次点割り当て可能リソース数が「０」以下となるとき（Ｓ１８７でＮｏ）、端末数分のループ処理（Ｓ１８４）を終了させて、一連の処理を終了する（Ｓ１８９）。
【０１２０】
Ｓ１８４からＳ１８８までのループでは、例えば、ＵＥ選択処理部１１９は、送信対象端末以外の端末２００に割り当てられた無線リソースの合計が、ＣＡ構成の端末２００に割り当てられた無線リソースの合計を超えるまで、次点送信対象ＵＥを選択している。
【０１２１】
図１１（Ｂ）の例では、減算後の次点割り当て可能リソース数は「３０ＲＢ」であって、「０」以下となっていない（図１２のＳ１８７でＹｅｓ）。そのため、ＵＥ選択処理部１１９は、次に優先度の高い端末２００−１４（ＵＥ＃１４）を、次点送信対象ＵＥとして選択する。この場合、端末２００−１４のリソース数は「３０ＲＢ」であるため、次点割り当て可能リソース数「３０ＢＲ」から、端末２００−１４のリソース数「３０ＲＢ」を減算すると「０」となる。従って、ＵＥ選択処理部１１９は、次点送信対象ＵＥとして、更に、端末２００−１４を選択する。ＵＥ選択処理部１１９は、セル＃１においては、２つの端末２００−１２，２００−１４を、次点送信対象ＵＥとして選択する。
【０１２２】
ＵＥ選択処理部１１９は、例えば、セル＃２に対しても、セル＃１と同様の処理（Ｓ１８４〜Ｓ１８８）を行う。図１１（Ｂ）の例では、ＵＥ選択処理部１１９は、次点送信対象ＵＥとして、端末２００−１５（ＵＥ＃１５）を選択する。
【０１２３】
図１３（Ａ）は、次点送信対象ＵＥを含むリソースの割り当て結果の例を表す図である。図１３（Ａ）に示すように、次点送信対象ＵＥの選択個数は、送信対象端末においてＣＡ通信を行っている端末数と一致している結果となっている。例えば、セル＃１においては、端末２００−１（ＵＥ＃１）と端末２００−１０（ＵＥ＃１０）の２台がＣＡ通信を行っており、次点送信対象ＵＥである端末２００−１２（ＵＥ＃１２），２００−１４（ＵＥ＃１４）も２台となっている。
【０１２４】
例えば、次点送信対象ＵＥの選択個数を、送信対象端末においてＣＡ通信を行っている端末数と一致させるようにすることも可能である。例えば、図１２のＳ１８５の処理において、ＵＥ選択処理部１１９が、送信対象端末の中から、ＣＡ通信を行っている端末を、メモリ１２７から読み出して、その台数をカウントする。そして、ＵＥ選択処理部１１９は、その台数分の次点送信対象ＵＥを選択すると、Ｓ１８７の結果に拘わらず、ループを終了させる（Ｓ１８８）。
【０１２５】
図１３（Ｂ）は、リソース割り当て情報の例を表す図である。ＵＥ選択処理部１１９は、例えば、図１３（Ｂ）に示すリソース割り当て情報を生成し、リソース割り当て情報送信部１２０とリソース割り当て情報受信部１２２とを介して、ＵＥ情報取得処理部１２４へ出力する。
【０１２６】
図３に戻り、基地局１００は、次点送信対象ＵＥ選択処理（Ｓ１５）を終了すると、次点送信対象ＵＥ情報取得処理（Ｓ１７）を行う。
【０１２７】
図１４は、第２の実施の形態における、次点送信対象ＵＥ情報取得処理の例を表すフローチャートである。
【０１２８】
基地局１００は、次点送信対象ＵＥ情報取得処理を開始すると（Ｓ１７０）、各送信対象端末に対して、Ｓ２０１〜Ｓ２０３の処理を行う（Ｓ２００）。
【０１２９】
すなわち、基地局１００は、送信対象端末について送信データの有無を判別する（Ｓ２０１）。そして、基地局１００は、送信対象端末について、送信データが有れば（Ｓ２０１でＹｅｓ）、送信対象端末宛の送信データに対して、ＭＡＣ  ＰＤＵを生成する（Ｓ２０３）。
【０１３０】
図１５（Ａ）は、セル＃１側のＭＡＣ  ＰＤＵの生成例を表す図である。例えば、ＵＥ情報取得処理部１２４は、第１の実施の形態と同様に、セル＃１に在圏する送信対象端末２００−１（ＵＥ＃１），２００−１０（ＵＥ＃１０），２００−４（ＵＥ＃４）から先に処理を行う。図１５（Ａ）の例では、送信対象端末２００−１，２００−１０，２００−４の全て、送信データバッファ１２７に送信データが記憶されている（Ｓ２０１でＹｅｓ）。従って、ＭＡＣ  ＰＤＵ生成処理部１２３は、各送信データに対して、ＭＡＣ  ＰＤＵを生成する（Ｓ２０３）。ＵＥ情報取得処理部１２４は、ＭＡＣ  ＰＤＵを生成した各送信データを、送信データバッファ１２７から削除する。
【０１３１】
図１４に戻り、一方、基地局１００は、送信対象端末について、送信データが無ければ（Ｓ２０１でＮｏ）、空きリソース数を加算する（Ｓ２０２）。なお、以下において、空きリソースと余剰リソースとを区別しないで用いる場合がある。
【０１３２】
図１５（Ｂ）は、セル＃２側のＭＡＣ  ＰＤＵの生成例を表す図である。図１５（Ｂ）の例では、ＵＥ情報取得処理部１２４は、セル＃２において最も優先度の高い端末２００−５（ＵＥ＃５）の送信データの有無を判別し、この送信データについては送信データバッファ１２７に記憶されている。従って、ＭＡＣ  ＰＤＵ生成処理部１２３は、端末２００−５宛の送信データに対してＭＡＣ  ＰＤＵを生成する。一方、端末２００−１（ＵＥ＃１）宛の送信データについては、既に送信データが送信データバッファ１２７から削除されている（Ｓ２０１でＮｏ）。そのため、ＵＥ情報取得処理部１２４は、端末２００−１宛の送信データに対して割り当てられた無線リソース数「４０ＲＢ」を、空きリソース数に加算する。図１５（Ｂ）の例では、空きリソースに加算するのは、この「４０ＲＢ」だけである。優先度が「３」の端末２００−１３（ＵＥ＃１３）は、その送信データが送信データバッファ１２７に記憶されているため、ＭＡＣ  ＰＤＵが生成される。
【０１３３】
図１４に戻り、基地局１００は、全ての送信対象端末に対してＳ２０１〜Ｓ２０３の処理を行っていないときは、Ｓ２００からＳ２０４のループを繰り返し、全ての送信対象端末に対して処理を行ったときは、ループを終了する（Ｓ２０４）。
【０１３４】
基地局１００は、Ｓ２００からＳ２０４のループを終了すると、各次点送信対象ＵＥに対して、Ｓ２０６からＳ２１１までの処理を行う（Ｓ２０５）。すなわち、基地局１００は、次点送信対象ＵＥの空きリソースの有無を判別する（Ｓ２０６）。例えば、ＵＥ情報取得処理部１２４は、Ｓ２０２で加算した空きリソースが有るか否かを判別する。
【０１３５】
基地局１００は、空きリソースが有るとき（Ｓ２０６でＹｅｓ）、空きリソース数が、次点送信対象ＵＥの中から選択した端末２００のリソース数以上か否かを判別する（Ｓ２０７）。
【０１３６】
例えば、ＵＥ情報取得処理部１２４は、次点送信対象ＵＥの中から、優先度の高い順に、対象となる端末２００を選択し、その端末２００のリソース数と空きリソース数とを比較する。図１５（Ｂ）の例では、ＵＥ情報取得処理部１２４は、次点送信対象ＵＥの中で優先度の最も高い端末２００−１５（ＵＥ＃１５）を選択する。そして、ＵＥ情報取得処理部１２４は、空きリソース「４０ＲＢ」が、端末２００−１５のリソース数「４０ＲＢ」以上か否かを判別する。この場合は、空きリソース数は、次点送信対象ＵＥから選択された端末２００−１５に割り当てられたリソース数以上となっている。
【０１３７】
図１４に戻り、基地局１００は、空きリソース数が、次点送信対象ＵＥから選択した端末２００のリソース数以上のとき（Ｓ２０７でＹｅｓ）、選択した端末２００の送信データを送信データバッファ１２７から取得する。そして、基地局１００は、その端末２００に対してＭＡＣ  ＰＤＵを生成する（Ｓ２０９）。
【０１３８】
図１５（Ｂ）の例では、ＵＥ情報取得処理部１２４は、空きリソース数「４０ＲＢ」は、端末２００−１５のリソース数「４０ＲＢ」以上となっているため、端末２００−１５宛の送信データを、送信データバッファ１３７から取得する。そして、ＵＥ情報取得処理部１２４は、端末２００−１５宛の送信データに対して、ＭＡＣ  ＰＤＵを生成する。
【０１３９】
次に、基地局１００は、空きリソース数を減算する（Ｓ２１０）。図１５（Ｂ）の例では、ＵＥ情報取得処理部１２４は、空きリソース数「４０ＲＢ」から、端末２００−１５のリソース数「４０ＲＢ」を減算する。基地局１００は、減算後の空きリソースに基づいて、Ｓ２０６以降の処理を行う。
【０１４０】
すなわち、図１５（Ｂ）の例では、減算後の空きリソース数は「０」となる。この場合、基地局１００は、空きリソース無し（Ｓ２０６でＮｏ）と判別して、すべでの次点送信対象ＵＥに対する処理が終了していなくても、次点送信対象ＵＥ情報取得処理を終了する（Ｓ２１２）。
【０１４１】
一方、基地局１００は、空きリソース数が、次点送信対象ＵＥの中から選択した端末２００のリソース数よりも小さいとき（Ｓ２０７でＮｏ）、空きリソース（又は余剰リソース）を利用しても、選択した端末２００の送信データの全てを送信することができない。そのため、基地局１００は、そのような端末２００の送信データに対して、ＭＡＣ  ＰＤＵの生成などの処理を行うことなく、Ｓ２１１へ移行する。
【０１４２】
このように、ＵＥ情報取得処理部１２４では、例えば、空きリソース数が「０」となるまで、次点送信対象ＵＥの中から送信対象の端末２００を選択する。
【０１４３】
Ｓ２１１においては、基地局１００は、全ての次点送信対象ＵＥに対して、Ｓ２０６からＳ２１０までの処理を終了したか否かを確認し、終了していないときは、Ｓ２０５へ移行して上述の処理を繰り返す。一方、基地局１００は、全ての次点送信対象ＵＥに対して、Ｓ２０６からＳ２１０までの処理を終了した場合、次点送信対象ＵＥ情報取得処理を終了する（Ｓ２１２）。
【０１４４】
以上が、第２の実施の形態における次点送信対象ＵＥ情報処理取得処理の例である。以降の処理は、第１の実施の形態と同様である。
【０１４５】
本第２の実施の形態においては、基地局１００は、ＣＡ通信により余剰リソースが生じた場合でも、余剰リソース分の端末２００を、次点送信対象ＵＥの中から選択している（図１４のＳ２０５〜Ｓ２１１）。従って、本第２の実施の形態では、更に、余剰リソースを最大限活用できるため、無線リソースの有効活用化を図り、スループットの向上を図ることが可能となる。
【０１４６】
［第３の実施の形態］
第２の実施の形態では、セル＃２側の次点送信対象ＵＥが「１」台選択される例について説明した。本第３の実施の形態では、セル＃２側の次点送信対象ＵＥが「２」台選択される例について説明する。
【０１４７】
図１６（Ａ）は第３の実施の形態における通信状況の例を表す図である。図１６（Ａ）に示す通信状況は、第２の実施の形態（図１０（Ａ））と比較して、端末２００−１５（ＵＥ＃１５）の送信データ量が「１０ＫＢ」となっている。
【０１４８】
また、図１６（Ｂ）は、第３の実施の形態におけるセル構成例を表す図である。セル構成は第２の実施の形態と同様である。
【０１４９】
本第３の実施の形態においても、第２の実施の形態と同様に、全体の処理は図３、次点送信対象ＵＥ選択処理は図１２、次点送信対象ＵＥ情報取得処理は図１４が用いられる。
【０１５０】
図１７（Ａ）は、優先度計算処理部１１７における優先度処理結果の例を表す図である。第２の実施の形態（図１１（Ａ））と比較して、優先度の順位に変更はない。
【０１５１】
また、図１７（Ｂ）は、リソース割り当て処理部１１８における無線リソースの割り当て例を表す図である。無線リソース割り当て例は、第２の実施の形態（図１１（Ｂ））と同一である。
【０１５２】
図１８（Ａ）は、ＵＥ情報取得処理部１２４で選択した次点送信対象ＵＥ選択後の無線リソースの割り当て例を表す図である。セル＃２では、次点送信対象ＵＥとして、端末２００−１５（ＵＥ＃１５）と端末２００−１１（ＵＥ＃１１）の「２」台が選択される。
【０１５３】
これは、例えば、以下の理由による。すなわち、次点送信対象ＵＥ選択処理（図１２）において、セル＃２の次点割り当て可能リソース数は、ＣＡ構成となっている端末２００−１（ＵＥ＃１）のリソース数「４０ＲＢ」となる（図１２のＳ１８２）。ＵＥ選択処理部１１９は、送信対象端末以外の端末で優先度の最も高い端末２００−１５（ＵＥ＃１５）を選択し（Ｓ１８５）、次点割り当て可能リソース数から端末２００−１５の無線リソース数を減算すると「３０ＲＢ」（＝４０−１０）となる。ＵＥ選択処理部１１９は、優先度が次に高い、端末２００−１１（ＵＥ＃１１）を選択し（Ｓ１８５）、次点割り当て可能リソース数から端末２００−１１の無線リソース数を減算すると「０」（＝３０−３０）となり（Ｓ１８７でＮｏ）、次点送信対象ＵＥ選択処理を終了する。従って、ＵＥ選択処理部１１９は、端末２００−１５と端末２００−１１の「２」台の端末を次点送信対象ＵＥとして選択している。
【０１５４】
図１８（Ｂ）は、リソース割り当て情報の例を表す図である。ＵＥ選択処理部１１９は、リソース割り当て情報送信部１２０とリソース割り当て情報受信部１２２とを介して、ＵＥ情報取得処理部１２４へ、リソース割り当て情報を出力する。
【０１５５】
図１９（Ａ）はセル＃１におけるＭＡＣ  ＰＤＵの生成例、図１９（Ｂ）はセル＃２におけるＭＡＣ  ＰＤＵの生成例をそれぞれ表す図である。図１９（Ｂ）に着目すると、基地局１００は、端末２００−１（ＵＥ＃１）に対する余剰リソースを、端末２００−１５（ＵＥ＃１５）と端末２００−１１（ＵＥ＃１１）に割り当てて、各送信データに対してＭＡＣ  ＰＤＵを生成している。
【０１５６】
これは、例えば、以下の理由による。すなわち、次点送信対象ＵＥ情報取得処理（図１４）において、ＵＥ情報取得処理部１２４は、セル＃２において、端末２００−１の無線リソースを空きリソースとして加算する（Ｓ２０２）。２つの端末２００−１５，２００−１１の合計無線リソース数「４０ＲＢ」が、空きリソース「４０ＲＢ」と一致する。そのため、ＵＥ情報取得処理部１２４は、２つの端末２００−１５，２００−１１の送信データを送信データバッファ１２７から取得する。そして、ＭＡＣ ＰＤＵ生成処理部１２３は、２つの送信データに対してＭＡＣ  ＰＤＵを生成する。
【０１５７】
以降の処理は、第２の実施の形態と同様である。
【０１５８】
本第３の実施の形態においても、基地局１００は、ＣＡ通信により生じた余剰リソースに対して、余剰リソース分の次点送信対象ＵＥを選択するようにしている（図１４のＳ１８５〜Ｓ１８７）。従って、本第３の実施の形態においても、更に、余剰リソースを最大限活用できるため、無線リソースの有効活用化を図り、スループットの向上を図ることが可能となる。
【０１５９】
［その他の実施の形態］
図２０は、基地局１００のハードウェア構成例を表す図である。
【０１６０】
ＢＢＵ１１０は、ＮＩＦ（Network Interface）１５０、メモリ１５１、ＣＰＵ（Central Processing Unit）１５２、ＤＳＰ（Digital Signal Processor）１５３を備える。
【０１６１】
ＣＰＵ１５２は、メモリ１５１に記憶されたプログラムを読み出して実行することで、データ受信部１１２、送信データ量計算部１１３、送信データ量情報送信部１１４、スケジューラ１１５−１，１１５−２，…の各機能を実現する。また、ＣＰＵ１５２は、プログラムを実行することで、リソース割り当て情報受信部１２２、ＭＡＣ  ＰＤＵ生成処理部１２３、ＵＥ情報取得処理部１２４、ＭＡＣ  ＰＤＵ送信部１２５の各機能を実現する。ＣＰＵ１５２は、例えば、データ受信部１１２、送信データ量計算部１１３、送信データ量情報送信部１１４、スケジューラ１１５−１，１１５−２，…に対応する。また、ＣＰＵ１５２は、例えば、リソース割り当て情報受信部１２２、ＭＡＣ  ＰＤＵ生成処理部１２３、ＵＥ情報取得処理部１２４、ＭＡＣ  ＰＤＵ送信部１２５に対応する。
【０１６２】
また、ＮＩＦ１５０は、例えば、パケット受信部１１１に対応する。さらに、ＤＳＰ１５３は、Ｌ１処理部１２６に対応する。さらに、メモリ１５１は、例えば、メモリ１２７とメモリ１２７に対応する。
【０１６３】
図２１は、無線通信システム１０の例を表す図である。
【０１６４】
無線通信システム１０は、基地局装置１００と第１及び第２の端末装置２００−１，２００−２を備える。基地局装置１００は、次点送信対象端末選択処理部１１９と、次点送信対象端末情報取得処理部１２４を備える。なお、次点送信対象端末選択処理部１１９は、例えば、第１の実施の形態における次点送信対象ＵＥ選択処理部１１９に対応する。また、次点送信対象端末情報取得処理部１２４は、例えば、第１の実施の形態における次点送信対象ＵＥ情報取得処理部１２４に対応する。
【０１６５】
基地局１００は、複数の周波数帯域ｆ１，ｆ２を同時に用いて第１の端末装置２００−１と無線通信を行っている。このような無線通信のことを、例えば、ＣＡ通信と称する場合がある。
【０１６６】
次点送信対象端末選択処理部１１９は、無線リソースが割り当てられなかった第２の端末装置２００−２の中から、データの送信対象となる端末装置を次点送信対象端末として選択する。
【０１６７】
次点送信対象端末情報取得処理部１２４は、無線リソースに余剰があるとき、余剰リソースで送信可能なデータ量を有する第２の端末装置２００−２を、次点送信対象端末選択処理部１１９から受け取った次点送信対象端末から選択する。図２１の例では、例えば、無線リソースｆ１が余剰リソースとなる。そして、次点送信対象端末情報取得処理部は、選択した第２の端末装置２００−２に対するデータを、余剰リソースを利用して第２の端末装置２００−２へ送信する。
【０１６８】
このように、図２１に示す基地局装置１００では、余剰リソースを利用して第２の端末装置２００−２宛のデータを送信するようにしているため、無線リソースの有効活用化を図ることができる。また、基地局装置１００は、余剰リソースを利用して、パディングデータを送信することもないため、このような場合と比較して、第２の端末装置２００−２宛のデータも送信することができるため、スループットの向上を図ることが可能となる。さらに、基地局装置１００は、無線通信方式を切り替えることなく、余剰リソースを利用して第２の端末装置２００−２宛のデータを送信している。そのため、基地局装置１００では、無線通信方式を設定したり切り替えたりするための処理時間をかけることなくデータを送信できるため、このような場合と比較して、スループットの向上を図ることが可能となる。
【０１６９】
以上まとめると付記のようになる。
【０１７０】
（付記１）
複数の周波数帯域を同時に用いて第１の端末装置と無線通信を行う基地局装置において、
無線リソースが割り当てられなかった第２の端末装置の中から、データの送信対象となる端末装置を次点送信対象端末として選択する次点送信対象端末選択処理部と、
前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する次点送信対象端末情報取得処理部と
を備えることを特徴とする基地局装置。
【０１７１】
（付記２）
更に、前記第１の端末装置に対して第１の無線リソースを割り当てる第１のリソース割り当て処理部と、前記第１の端末装置に対して第２の無線リソースを割り当てる第２のリソース割り当て処理部とを備え、
前記次点送信対象端末情報取得処理部は、前記第２の無線リソースが利用されることなく、前記第１の無線リソースを利用して、前記第１の端末装置宛の送信データを送信したとき、前記第２の無線リソースが前記余剰リソースとなることを特徴とする付記１記載の基地局装置。
【０１７２】
（付記３）
前記第１の無線リソースは、第１の周波数リソースと第１の時間リソースとを含み、前記第２の無線リソースは、第２の周波数リソースと前記第１の時間リソースとを含むことを特徴とする付記２記載の基地局装置。
【０１７３】
（付記４）
更に、前記第１の端末装置宛の送信データを記憶する送信データバッファを備え、
前記次点送信対象端末情報取得処理部は、前記第１の端末装置宛の送信データを送信したとき、前記送信データバッファから前記第１の端末装置宛の送信データを削除し、前記第２のリソース割り当て処理部により割り当てた前記第２の周波数リソースと前記第１の時間リソースとを利用して前記送信データを送信するときに前記送信データバッファに前記送信データがないとき、前記第２のリソース割り当て処理部により割り当てた前記第２の周波数リソースと前記第１の時間リソースとが前記余剰リソースとなることを特徴とする付記１記載の基地局装置。
【０１７４】
（付記５）
前記次点送信対象端末選択処理部は、前記第２の端末装置と前記基地局装置との間の無線品質と、前記第２の端末装置宛の送信データの送信データ量とに基づいて、前記次点送信対象端末を選択することを特徴とする付記１記載の基地局装置。
【０１７５】
（付記６）
前記次点送信対象端末選択処理部は、無線品質が良い順に、同順のときは送信データ量の多い順に、優先度により前記第２の端末装置を順位付けし、優先度の高い順に、前記次点送信対象端末を選択することを特徴とする付記４記載の基地局装置。
【０１７６】
（付記７）
前記次点送信対象端末選択処理部は、優先度の高い順に予め決められた台数の前記次点送信対象端末を選択することを特徴とする付記６記載の基地局装置。
【０１７７】
（付記８）
前記次点送信対象端末選択処理部は、前記第２の端末装置に割り当てられた無線リソースの合計が、前記第１の端末装置に割り当てられた無線リソースの合計を超えるまで、前記次点送信対象端末を選択することを特徴とする付記５記載の基地局装置。
【０１７８】
（付記９）
前記次点送信対象端末選択処理部は、前記第１の端末装置と同数の前記次点送信対象端末を選択することを特徴とする付記５記載の基地局装置。
【０１７９】
（付記１０）
前記次点送信対象端末情報取得処理部は、前記余剰リソースがなくなるまで、前記余剰リソースで送信可能なデータ量を有する端末装置を、前記次点送信対象端末から選択することを特徴とする付記１記載の基地局装置。
【０１８０】
（付記１１）
次点送信対象端末選択処理部と次点送信対象端末情報取得処理部とを有し、複数の周波数帯域を同時に用いて第１の端末装置と無線通信を行う基地局装置におけるデータ送信方法であって、
前記次点送信対象端末選択処理部により、無線リソースが割り当てられなかった第２の端末装置の中から、データの送信対象となる端末装置を次点送信対象端末として選択し、
次点送信対象端末情報取得処理部により、前記無線リソースに余剰があるとき、余剰リソースで送信可能なデータ量を有する前記端末装置を、前記次点送信対象端末選択処理部から受け取った前記次点送信対象端末から選択し、選択した前記端末装置に対するデータを、前記余剰リソースを利用して前記端末装置へ送信する
ことを特徴とするデータ送信方法。
【０１８１】
（付記１２）
複数の周波数帯域を同時に用いて第１の端末装置と無線通信を行う基地局装置のコンピュータに実行させるデータ送信プログラムであって、
無線リソースが割り当てられなかった第２の端末装置の中から、データの送信対象となる端末装置を次点送信対象端末として選択し、
前記無線リソースに余剰があるとき、余剰リソースで送信可能なデータ量を有する前記端末装置を、前記次点送信対象端末から選択し、選択した前記端末装置に対するデータを、前記余剰リソースを利用して前記端末装置へ送信する
処理をコンピュータに実行させるデータ送信プログラム。
【符号の説明】
【０１８２】
１０：無線通信システム              １００：基地局装置
１１０：ＢＢＵ                      １１１：パケット受信部
１１２：データ受信部                １１３：送信データ量計算部
１１４：送信データ量情報送信部      １１５−１〜１１５−３：スケジューラ
１１６：送信データ量情報受信部      １１７：優先度計算処理部
１１８：リソース割り当て処理部      １１９：次点送信対象ＵＥ選択処理部
１２１：メモリ                      １２３：ＭＡＣ  ＰＤＵ生成処理部
１２４：次点送信対象ＵＥ情報取得処理部
２００（２００−１〜２００−１５）：端末装置
【図１】
2019029686.tif 000003
【図２】
2019029686.tif 000004
【図３】
2019029686.tif 000005
【図４】
2019029686.tif 000006
【図５】
2019029686.tif 000007
【図６】
2019029686.tif 000008
【図７】
2019029686.tif 000009
【図８】
2019029686.tif 000010
【図９】
2019029686.tif 000011
【図１０】
2019029686.tif 000012
【図１１】
2019029686.tif 000013
【図１２】
2019029686.tif 000014
【図１３】
2019029686.tif 000015
【図１４】
2019029686.tif 000016
【図１５】
2019029686.tif 000017
【図１６】
2019029686.tif 000018
【図１７】
2019029686.tif 000019
【図１８】
2019029686.tif 000020
【図１９】
2019029686.tif 000021
【図２０】
2019029686.tif 000022
【図２１】
2019029686.tif 000023